(57)【特許請求の範囲】
【請求項１】
靴本体の底面に靴底を被着した釣用靴において、
前記靴底表面に、長手方向スリットと横方向スリットをクロスするように形成し、
前記各スリットは、靴底の側面に至ることなく形成されると共に、各スリットによって閉じられた領域が存在しないように形成され、
前記クロスしたスリットは靴底の底面に点在して形成されることを特徴とする釣用靴。
【請求項２】
前記各スリットは、靴底の周縁から５ｍｍ以上離れた領域に形成されていることを特徴とする請求項１に記載の釣用靴。
【請求項３】
前記長手方向スリットと横方向スリットがクロスした部分は、靴底の拇指球部、及び小指球部に対応して形成されていることを特徴とする請求項１又は２に記載の釣用靴。
【請求項４】
前記長手方向スリットは、中央部領域に形成されている部分の長さが、側縁領域に形成されている部分の長さよりも長く形成されていることを特徴とする請求項１から３のいずれか１項に記載の釣用靴。
【請求項５】
前記横方向スリットは、拇指球と小指球を含む領域に形成されているものが、それ以外の領域に形成されているものよりも長いことを特徴とする請求項１から４のいずれか１項に記載の釣用靴。
【請求項６】
前記長手方向スリットと横方向スリットは、複数箇所でクロスしていることを特徴とする請求項１から５のいずれか１項に記載の釣用靴。
【請求項７】
靴本体の底面に被着される靴底であって、
前記靴底表面に、長手方向スリットと横方向スリットをクロスするように形成し、
前記各スリットは、靴底の側面に至ることなく形成されると共に、各スリットによって閉じられた領域が存在しないように形成され、
前記クロスしたスリットは靴底の底面に点在して形成されることを特徴とする靴底。
【請求項８】
前記各スリットは、靴底の周縁から５ｍｍ以上離れた領域に形成されていることを特徴とする請求項７に記載の靴底。
【請求項９】
前記長手方向スリットと横方向スリットがクロスした部分は、靴底の拇指球部、及び小指球部に対応して形成されていることを特徴とする請求項７又は８に記載の靴底。
【請求項１０】
前記長手方向スリットは、中央部領域に形成されている部分の長さが、側縁領域に形成されている部分の長さよりも長く形成されていることを特徴とする請求項７から９のいずれか１項に記載の靴底。
【請求項１１】
前記横方向スリットは、拇指球と小指球を含む領域に形成されているものが、それ以外の領域に形成されているものよりも長いことを特徴とする請求項７から１０のいずれか１項に記載の靴底。
【請求項１２】
前記長手方向スリットと横方向スリットは、複数箇所でクロスしていることを特徴とする請求項７から１１のいずれか１項に記載の靴底。
【発明の詳細な説明】
【技術分野】
【０００１】
本発明は、主に魚釣りをする際に使用される釣用靴、及び、そのような釣用靴に対して被着可能な靴底に関する。
【背景技術】
【０００２】
従来、渓流釣りや磯釣り等に用いられる釣用靴は、濡れた部分や岩場など、滑り易い部分を歩行した際、滑り難くした構造となっている。例えば、特許文献１に開示されているように、靴底にフェルト製のソール（フェルトソール）を被着したものが知られており、前記フェルトソールの表面（地面と接地する面）に、幅方向及び／又は長手方向に延びる割（スリット）を形成することで、ソール部分を屈曲変形し易くし、足場の悪い所を歩行しても安定性の向上を図るようにしている。
【先行技術文献】
【特許文献】
【０００３】
【特許文献１】特開２００２−２３８６１４
【発明の概要】
【発明が解決しようとする課題】
【０００４】
上記したようなフェルトソールを被着した釣用靴は、幅方向及び／又は長手方向に延びる割が靴底の側面に至る領域まで形成されているため、側面の割と割の間の領域（割同士で区画された領域）が、側部に加わる力によって変位し易く破壊される可能性がある。すなわち、上記した割が靴底の周縁から側面に至る領域まで形成されていることで、側面部分が変形し易くなり、岩場などの凹凸を包み込むように変形して高いグリップ力が得られるものの、削れ易く、これにより靴底の周縁部が丸くなってしまい、早期に滑り易くなるという問題がある。
【０００５】
また、前記割を、幅方向及び長手方向に格子状に形成すると、割によって囲まれた部分毎（ブロック毎）に変位して滑り止め効果は高いものの、ブロック部分がちぎれ易く、耐久性に欠けるという問題がある。
【０００６】
本発明は、上記した問題に着目してなされたものであり、長期に亘って滑り止めの効果が発揮できると共に、耐久性に優れた釣用靴、及び靴底を提供することを目的とする。
【課題を解決するための手段】
【０００７】
上記した目的を達成するために、本発明に係る釣用靴は、靴本体の底面に靴底を被着した構成において、前記靴底表面に、長手方向スリットと横方向スリットをクロスするように形成し、前記各スリットは、靴底の側面に至ることなく形成されると共に、各スリットによって閉じられた領域が存在しないように形成されていることを特徴とする。
【０００８】
上記した構成の釣用靴によれば、靴底表面に、長手方向スリットと横方向スリットがクロスするように形成されていることで、靴底表面が変形し易くなり、岩場のような凹凸部分を歩行しても、その表面形状に沿って追従し易くなり、滑りが生じ難くなる。この場合、各スリットは、各スリットによって閉じられた領域が存在しないように形成されていることから、体重が加わった際、ブロック単位で変形するようなことはない。このため、靴底表面が変形、破壊したり、ちぎれ等が生じることがなく、耐久性に優れた構造となる。
【０００９】
また、表面が滑り易い部分を歩行しても、クロスした長手方向スリットと横方向スリットが変形してグリップ力が増すため、滑りが生じ難くなる。さらに、各スリットは、靴底の側面に至らないように形成されていることから、側部領域に力が加わっても側面部分が大きく変位したり削れて摩耗等することは無く、これにより、側部領域において削れや破壊が生じることがなくなって、長期に亘って滑り抑制効果が得られると共に、耐久性の向上が図れるようになる。
【００１０】
なお、上記したような長手方向スリットと横方向スリットが形成された靴底は、それ自体、単体構造として様々なタイプの靴本体の底面に被着することが可能である。
【発明の効果】
【００１１】
本発明によれば、長期に亘って滑り止めの効果が発揮できると共に、耐久性に優れた構造の釣用靴及び靴底が得られる。
【図面の簡単な説明】
【００１２】
【図１】本発明に係る釣用靴の一実施形態を示す図。
【図２】図１に示す釣用靴の靴底の裏面図。
【図３】本発明との比較例を示したスリット構造を示す図。
【図４】本発明の第２の実施形態を示す図であり、靴底の裏面図。
【図５】本発明の第３の実施形態を示す図であり、（ａ）は靴底の裏面図、（ｂ）は歩行時における靴底の屈曲状態を模式的に示す図。
【図６】本発明の第４の実施形態を示す図であり、靴底の裏面図。
【発明を実施するための形態】
【００１３】
以下、本発明に係る釣用靴、及び靴底の実施形態について添付図面を参照して具体的に説明する。  
図１及び図２は、本発明の第１の実施形態を示す図であり、図１は、釣用靴の全体構成を示す図、図２は、図１に示す釣用靴の靴底の裏面図である。
【００１４】
本実施形態の釣用靴１は、ショートブーツタイプとして構成されており、釣り人の足部を覆う靴本体２と、靴本体２の裏面（底面）に対して接着、縫着等によって被着（固定）される靴底１０とを備えて構成されている。なお、釣用靴として、ショートブーツタイプ以外にも、ロングブーツタイプや短靴タイプ（運動靴タイプ）に適用しても良い。
【００１５】
前記靴本体２は、ゴム等の素材で一体形成されており、前記靴底１０は、滑り難く屈曲性に優れた素材、例えば、フェルト等の繊維素材、或いは、ゴム（合成ゴム）、ウレタン、ＥＶＡ等の合成樹脂によって一体形成されている。前記靴本体２については、特定の形状や素材に限定されることはないが、例えば、合成樹脂や繊維材などを組み合わせて縫製する等、適宜変形することができ、防水性を有する構造であることが望ましい。また、靴底１０は、所定の肉厚Ｔを有しており、靴本体２に対して予め被着されたものであっても良いし、単体として製造、販売等され、様々な靴本体の裏面に被着される構成であっても良い。
【００１６】
前記靴本体２と靴底１０の被着方法や、両者の間の具体的な接合構造については特に限定されるものではなく、靴本体２の内部に中敷（インナーソール）やクッション材などが介在されていても良い。また、靴底１０には、後述するようなスリット（長手方向スリットと幅方向スリット）が形成されるが、その肉厚Ｔは、十分なクッション性と耐久性が確保できるように、例えば、フェルトソールを被着したものであれば、フェルトソール部分で１０〜２５ｍｍのものであれば良い。また、このようなフェルトソールにスリットを形成する場合、各スリットは、効果的な滑り止めと耐久性が確保できるように、肉厚Ｔに対して５０〜１００％の深さで形成されていれば良い。
【００１７】
前記靴底１０の表面（底面）１０ａには、長手方向スリット１１と横方向スリット１３がクロスするように形成されている。この場合、長手方向スリットとは、靴底１０の長手方向（中心軸線）Ｘに沿った方向を意味しており、横方向スリットとは、長手方向Ｘに対して直交する方向Ｙを意味している。なお、両スリットのクロス状態は、両スリットが直交する状態でＸ方向又はＹ方向に対して傾斜（±３０°以内）しても良いし、又は、それぞれのスリットが直交することなくＸ方向又はＹ方向に対し僅かに傾斜（±３０°以内）していても良い。
【００１８】
このような長手方向スリット１１と横方向スリット１３は、互いにクロスするように形成されるが、靴底表面に形成される全てのスリットがクロスしていなくても良い。すなわち、部分的に交差することのない長手方向スリットや横方向スリット等が存在していても良い。
【００１９】
また、上記した各スリット１１，１３は、靴底１０の側面１０ｂに至ることなく形成されている。すなわち、各スリット１１，１３は、所定の深さで形成されるが、その切り込みは、靴底１０の側面１０ｂには露出しないように形成されている。
【００２０】
さらに、上記した各スリット１１，１３は、１つの長手方向スリット１１に対して複数の横方向スリットが交差したり、１つの横方向スリット１３に対して複数の長手方向スリットが交差していても良いが、各スリット１１，１３によって閉じられた領域が存在しないように形成されている。具体的には、図３に示すように、長手方向スリット１１Ａと横方向スリット１３Ａによって、閉じられた領域（斜線で示すような各スリットで囲まれた領域）Ａが存在しないように形成されている。
【００２１】
本実施形態では、図１及び図２に示すように、長手方向スリット１１と横方向スリット１３は、１箇所でクロスした「＋」形状となっており、このような「＋」形状に形成されたスリット群が底面１０ａに一定間隔おいて点在するように形成されている。
【００２２】
上記のように形成される靴底１０を被着した釣用靴１によれば、靴底の表面に、長手方向スリット１１と横方向スリット１３がクロスするように点在して形成されていることで、靴底表面全体が変形し易くなり、岩場のような凹凸部分を歩行しても、その表面形状に沿って追従し易くなり、滑りが生じ難くなる。この場合、各スリット１１，１３は、各スリットによって閉じられた領域が存在しないように形成されていることから、体重が加わった際、ブロック単位で変形することはない。したがって、靴底表面が変形、破壊したり、ちぎれ等が生じることがなく、耐久性に優れた構造となる。
【００２３】
また、表面が滑り易い部分を歩行しても、クロスした長手方向スリットと横方向スリットが変形してグリップ力が増すため、滑りが生じ難くなる。さらに、各スリット１１，１３は、靴底１０の側面１０ｂに至らないように形成されていることから、側部領域に力が加わっても側面領域が大きく変位したり削れて摩耗等することは無く、これにより、側部領域において、削れや破壊が生じることがなくなり、長期に亘って滑り抑制効果が得られると共に、耐久性の向上が図れるようになる。
【００２４】
なお、上記したようなクロスする各スリット１１，１３は、図２で示すように、靴底１０の周縁１０ｃから所定の間隔をおいて形成することが好ましい。すなわち、上記したように、各スリットを側面１０ｂに形成しない（露出させない）ようにすることで、側部領域に力が加わっても側面領域が大きく変位したり削れることはなくなるが、好ましくは、裏面の外周領域Ｒ（ドットを付した領域）にスリットを形成しないようにすることで、靴底裏面の周縁の硬度が維持されるようになる。このため、特に岩場等では、歩行時にバランスを崩しても、踏ん張り易くなり、滑りが生じ難くなる。具体的に、スリット１１，１３を形成する領域については、側面１０ｂに露出させないものであれば良いが、靴底裏面の周縁硬度が十分に確保できるように、周縁１０ｃからその距離Ｌが５ｍｍ以上離れていることが好ましい。
【００２５】
次に、本発明の別の実施形態について説明する。  
図４は、本発明の第２の実施形態を示す図であり、靴底部分の裏面図である。
【００２６】
本実施形態では、実際に釣用靴を履いた際、その足裏の拇指球部Ａ１、及び小指球部Ａ２に対応する部分の靴底に、スリット１１，１３のクロス部分が位置するように形成している。この場合、クロスするスリットは、上記した実施形態と同様、靴底に多数形成されていても良く、その内の一部が、上記拇指球部Ａ１、及び小指球部Ａ２に対応するように形成されていても良い。
【００２７】
通常、釣場における岩、砂があるところ（凹凸面）や滑り易い場所では、歩行するときに足裏の感覚が重要である。具体的には、拇指球部、小指球部、踵部にかかる荷重バランスを調整して足裏のどの位置に重心を位置させるかで、安定した姿勢となるようになっている。  
上記のように、靴底１０の拇指球部Ａ１、及び小指球部Ａ２に対応する部分に、スリット１１，１３のクロス部分を位置させることで、拇指球部及び小指球部の足底が、石や砂の凹凸に沿って変形し易くなり、このような凹凸を包み込むような状態、或いは、凹凸に沿うような状態で適正な位置に重心を位置させることが可能となり、より滑り難くすることが可能となる。
【００２８】
また、スリット１１，１３については、複数個所でクロスするように構成しても良い。例えば、本実施形態のように、長手方向スリット１１に対して、中央でクロスする横方向スリット１３を形成すると共に、その両側に短い長さの横方向スリット１３ａをクロスさせたり、横方向スリット１３に対して、中央でクロスする長手方向スリット１１を形成すると共に、その両側に短い長さの長手方向スリット１１ａをクロスさせるようにしても良い。このように、長いスリット１１，１３、及び短いスリット１１ａ，１３ａを組み合わせてクロスさせることで、スリットを形成した周辺領域を変形させ易くすることが可能となる。特に、図に示すように、中心で長いスリット１１，１３同士をクロスさせ、端部側で短いスリット１１ａ，１３ａをクロスさせることで、中心領域を変形させ易くすることが可能となる。すなわち、このような構成のスリットを靴底１０の拇指球部Ａ１、及び小指球部Ａ２に対応する部分に形成することで、より効果的に滑り難い構成とすることが可能となる。
【００２９】
図５は、本発明の第３の実施形態を示す図であり、（ａ）は靴底の裏面図、（ｂ）は歩行時における靴底の屈曲状態を模式的に示す図である。  
本実施形態では、長手方向に所定間隔をおいて横方向スリット１３，１３ｂ〜１３ｇを形成し、それぞれの横方向スリットに、複数の長手方向スリット１１，１１ｂ〜１ｄをクロスするように形成している。なお、図面では、後述する範囲Ｒ１に形成される横方向スリットを符号１３で示し、その両サイドに形成される横方向スリットを１３ｂ，１３ｃ…で示し、中央位置に形成される長手方向スリットを符号１１で示し、その両サイドに形成される長手方向スリットを１１ｂ，１１ｃ…で示してある。
【００３０】
そして、このように、靴底１０に複数の長手方向スリットを形成する場合、中央部領域に形成されているスリット１１の長さを、側縁領域に形成されているスリット１１ｂ，１１ｃ，１１ｄよりも長く形成することが好ましい。  
このような構成によれば、長手方向の中心領域（中心軸）が変形し易くなり、足底の中心軸で石や岩等を受け易く、無理な姿勢でも安定して歩行することが可能となる。
【００３１】
なお、上記したように、長手方向スリットを複数形成する場合、靴底全体を考慮して中心軸領域が最も変形し易い状態になっていれば良く、側縁領域に、部分的に長い長手方向スリットが形成されていても良い。
【００３２】
また、このような構成では、拇指球部Ａ１、及び小指球部Ａ２が位置する長手方向の範囲Ｒ１内に、横方向スリット１３を形成しておくことが好ましい。  
このような位置に横方向スリット１３を形成しておくことで、図（ｂ）に示すように（分かりやすくするためデフォルメして示す）、歩行時において、特に足底の変形が必要な部位を変形させることができ、歩行性の向上が図れると共に、石、岩等の凹凸表面への足底変形の追従性が向上し、滑り難く安定して歩行することが可能となる。また、前記範囲Ｒ１内に形成される横方向スリット１３については、靴底で屈曲し易いように、長さを最も長く形成しておくことが好ましい。
【００３３】
図６は、本発明の第４の実施形態を示す図であり、靴底部分の裏面図である。  
本実施形態では、長手方向に所定間隔をおいて形成されている横方向スリット１３，１３ｂ〜１３ｍに対し、それぞれ複数の長手方向スリット１１，１１ｂをクロスするように形成すると共に、上記した実施形態と同様、拇指球部Ａ１、及び小指球部Ａ２が位置する長手方向の範囲Ｒ１内に横方向スリット１３を形成し、この横方向スリット１３の長さを、それ以外の領域に形成されている横方向スリット１３ｂ〜１３ｍよりも長くしている。
【００３４】
このように構成することで、上記した範囲Ｒ１における屈曲性（変形量）を大きくすることが可能となり、より歩行性の向上、及び滑り難く安定した歩行をすることが可能となる。
【００３５】
以上、本発明の実施形態について説明したが、本発明は上記した実施形態に限定されることはなく、種々変形することが可能である。  
本発明では、靴底裏面に形成されるスリットの構成に特徴があり、それ以外の部分については、適宜変形することが可能である。例えば、靴底の構成や材質については特に限定されることは無く、部分的に硬質部や軟質部が形成されていたり、凹凸（スパイクピンも含む）が形成されていても良い。また、形成されるスリットの幅についても、適宜変形することが可能である。
【符号の説明】
【００３６】
１  釣用靴
２  靴本体
１０  靴底
１１，１１ａ〜１１ｄ  長手方向スリット
１３，１３ａ〜１３ｍ  横方向スリット
Ａ１  拇指球部
Ａ２  小指球部
【図１】
0005782359.tif 000002
【図２】
0005782359.tif 000003
【図３】
0005782359.tif 000004
【図４】
0005782359.tif 000005
【図５】
0005782359.tif 000006
【図６】
0005782359.tif 000007